(57)【特許請求の範囲】
【請求項１】
互いに平行に延びる第１及び第２のレール部並びに前記第１のレール部と前記第２のレール部とを連結する連結部材を有するカーテンレールに取り付けられるカーテンレール用アタッチメントであって、
当該カーテンレール用アタッチメントを前記カーテンレールに固定するための固定部と、
洗濯物を干すための物干部と、を備え、
前記固定部は、前記連結部材を両側から挟むように構成されており、前記連結部材に対して直接に接続され、
当該カーテンレール用アタッチメントが前記カーテンレールに取り付けられた状態である取付状態において、前記物干部は、平面視で、前記第１のレール部と前記第２のレール部との間に位置することを特徴とするカーテンレール用アタッチメント。
【請求項２】
請求項１に記載のカーテンレール用アタッチメントにおいて、
前記固定部は、前記連結部材を挟持する第１及び第２のアームを有しており、
前記第１のアームと前記第２のアームとの間隔は、可変であるカーテンレール用アタッチメント。
【請求項３】
請求項１又は２に記載のカーテンレール用アタッチメントにおいて、
前記固定部における前記連結部材に対する接触面には、緩衝部材が設けられているカーテンレール用アタッチメント。
【請求項４】
請求項３に記載のカーテンレール用アタッチメントにおいて、
前記緩衝部材は、ゴムであるカーテンレール用アタッチメント。
【請求項５】
請求項１乃至４の何れかに記載のカーテンレール用アタッチメントにおいて、
前記第１のレール部は、カーテンを吊るすランナーが走行する第１のレール溝を有するものであり、
前記取付状態において、前記物干部は、平面視で、前記第１のレール部の前記第１のレール溝に重ならないカーテンレール用アタッチメント。
【請求項６】
請求項１乃至５の何れかに記載のカーテンレール用アタッチメントにおいて、
前記第２のレール部は、カーテンを吊るすランナーが走行する第２のレール溝を有するものであり、
前記取付状態において、前記物干部は、平面視で、前記第２のレール部の前記第２のレール溝に重ならないカーテンレール用アタッチメント。
【請求項７】
請求項１乃至６の何れかに記載のカーテンレール用アタッチメントにおいて、
前記物干部は、ハンガーを掛けられる第１のフックを有するカーテンレール用アタッチメント。
【請求項８】
請求項７に記載のカーテンレール用アタッチメントにおいて、
前記取付状態において、前記第１のフックの根元及び先端は、前記第１及び第２のレール部の延在方向に垂直な同一平面内に存在するカーテンレール用アタッチメント。
【請求項９】
請求項７又は８に記載のカーテンレール用アタッチメントにおいて、
前記物干部は、前記第１のフックと一体に設けられた、ハンガーを掛けられる第２のフックを有するカーテンレール用アタッチメント。
【請求項１０】
請求項９に記載のカーテンレール用アタッチメントにおいて、
前記取付状態において、前記第２のフックの根元及び先端は、前記第１及び第２のレール部の延在方向に垂直な同一平面内に存在するカーテンレール用アタッチメント。
【請求項１１】
請求項１乃至１０の何れかに記載のカーテンレール用アタッチメントにおいて、
前記物干部は、物干し用の棒又は紐を通せる孔を有するカーテンレール用アタッチメント。
【請求項１２】
請求項１１に記載のカーテンレール用アタッチメントにおいて、
前記取付状態において、前記孔の深さ方向は、前記第１及び第２のレール部の延在方向に一致するカーテンレール用アタッチメント。
【請求項１３】
請求項１乃至１２の何れかに記載のカーテンレール用アタッチメントにおいて、
前記物干部は、
物干し用の第１の紐の一端を固定するとともに当該第１の紐を収納可能な第１の紐収納部と、
前記第１の紐収納部と離間しており、当該第１の紐収納部から引き出された前記第１の紐の他端を固定する紐受部と、を含むカーテンレール用アタッチメント。
【請求項１４】
請求項１３に記載のカーテンレール用アタッチメントにおいて、
前記取付状態において、前記第１の紐収納部と前記紐受部とは、前記第１及び第２のレール部の延在方向に沿って相異なる位置に存在するカーテンレール用アタッチメント。
【請求項１５】
請求項１３又は１４に記載のカーテンレール用アタッチメントにおいて、
前記第１の紐収納部は、当該第１の紐収納部から引き出された前記第１の紐を自動的に巻き取る機構を有するカーテンレール用アタッチメント。
【請求項１６】
請求項１３乃至１５の何れかに記載のカーテンレール用アタッチメントにおいて、
前記物干部は、
物干し用の第２の紐の一端を固定するとともに当該第２の紐を収納可能な第２の紐収納部を含み、
前記紐受部は、前記第１の紐の前記他端に加えて、前記第２の紐収納部から引き出された前記第２の紐の他端も固定するカーテンレール用アタッチメント。
【請求項１７】
請求項１６に記載のカーテンレール用アタッチメントにおいて、
前記取付状態において、前記第２の紐収納部と前記紐受部とは、前記第１及び第２のレール部の延在方向に沿って相異なる位置に存在するカーテンレール用アタッチメント。
【請求項１８】
請求項１６又は１７に記載のカーテンレール用アタッチメントにおいて、
前記取付状態において、前記紐受部は、前記第１の紐収納部と前記第２の紐収納部との間に存在するカーテンレール用アタッチメント。
【請求項１９】
請求項１６乃至１８の何れかに記載のカーテンレール用アタッチメントにおいて、
前記第２の紐収納部は、当該第２の紐収納部から引き出された前記第２の紐を自動的に巻き取る機構を有するカーテンレール用アタッチメント。
【請求項２０】
請求項１乃至１９の何れかに記載のカーテンレール用アタッチメントが取り付けられていることを特徴とするカーテンレール。
【発明の詳細な説明】
【技術分野】
【０００１】
本発明は、カーテンレール用アタッチメント、及びそれが取り付けられたカーテンレールに関する。
【背景技術】
【０００２】
従来のカーテンレールとしては、例えば特許文献１に記載されたものがある。同文献に記載されたカーテンレールは、レール部と、カーテンを吊るすランナーとを備えている。レール部の下面には、レール部の延在方向に延びるレール溝が形成されている。レール溝に沿ってランナーが滑走することにより、カーテンを開閉することができる。
【先行技術文献】
【特許文献】
【０００３】
【特許文献１】特開２００４−１６００３６号公報
【発明の概要】
【発明が解決しようとする課題】
【０００４】
ところで、洗濯物を室内で干す場合、陽光が差し込む窓際に洗濯物を吊り下げることにより、洗濯物を効率良く乾かすことができる。この点、窓際には、通常、カーテンレールが設置されている。それゆえ、カーテンレールを用いて洗濯物を干すことができれば、好都合である。しかしながら、従来のカーテンレールは、構造上、洗濯物を干すのに適していなかった。
【０００５】
本発明は、上記課題に鑑みてなされたものであり、カーテンレールに洗濯物を干しやすくするカーテンレール用アタッチメント、及びそれが取り付けられたカーテンレールを提供することを目的とする。
【課題を解決するための手段】
【０００６】
本発明によるカーテンレール用アタッチメントは、互いに平行に延びる第１及び第２のレール部を有するカーテンレールに取り付けられるカーテンレール用アタッチメントであって、当該カーテンレール用アタッチメントを上記カーテンレールに固定するための固定部と、洗濯物を干すための物干部と、を備え、当該カーテンレール用アタッチメントが上記カーテンレールに取り付けられた状態である取付状態において、上記物干部は、平面視で、上記第１のレール部と上記第２のレール部との間に位置することを特徴とする。
【０００７】
このカーテンレール用アタッチメントにおいては、洗濯物を干すための物干部が設けられている。当該アタッチメントを取り付けることにより、カーテンレールに洗濯物を干すための構造を付加することができる。かかるカーテンレールにおいては、洗濯物を干すための構造が付加されていない場合に比して、洗濯物を干しやすくなる。
【発明の効果】
【０００８】
本発明によれば、カーテンレールに洗濯物を干しやすくするカーテンレール用アタッチメント、及びそれが取り付けられたカーテンレールが実現される。
【図面の簡単な説明】
【０００９】
【図１】本発明によるカーテンレール用アタッチメント及びカーテンレールの第１実施形態を示す断面図である。
【図２】図１のカーテンレール用アタッチメント及びカーテンレールを示す平面図である。
【図３】レール部１０にランナー３０が取り付けられた状態を示す断面図である。
【図４】固定部４２の構成例を説明するための正面図である。
【図５】図１におけるカーテンレール用アタッチメント４０を示す拡大図である。
【図６】物干部４４にハンガー９２が掛けられた状態を示す正面図である。
【図７】本発明によるカーテンレール用アタッチメント及びカーテンレールの第２実施形態を示す断面図である。
【図８】図７のカーテンレール用アタッチメント及びカーテンレールを示す平面図である。
【図９】図７におけるカーテンレール用アタッチメント５０を示す拡大図である。
【図１０】カーテンレール用アタッチメント５０の効果を説明するための平面図である。
【図１１】本発明によるカーテンレール用アタッチメント及びカーテンレールの第３実施形態を示す断面図である。
【図１２】図１１のカーテンレール用アタッチメント及びカーテンレールを示す平面図である。
【図１３】図１２のXIII−XIII線に沿った端面図である。
【図１４】固定部７２の構成例を説明するための正面図である。
【図１５】図１１におけるカーテンレール用アタッチメント７０を示す拡大図である。
【図１６】物干部４４の一変形例を説明するための断面図である。
【図１７】物干部４４の他の変形例を説明するための正面図である。
【図１８】物干部４４の他の変形例を説明するための正面図である。
【図１９】物干部４４の他の変形例を説明するための正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるカーテンレール用アタッチメント及びカーテンレールの第１実施形態を示す断面図である。また、図２は、図１のカーテンレール用アタッチメント及びカーテンレールを示す平面図である。図１は、図２のI−I線に沿った断面を示している。カーテンレール１は、レール部１０（第１のレール部）、及びレール部２０（第２のレール部）を有している。レール部１０及びレール部２０は、互いに平行に延びている。各レール部１０，２０の材料としては、例えば、金属、樹脂、木材等を用いることができる。
【００１２】
レール部１０は、カーテンを吊るすランナーが走行するレール溝１２（第１のレール溝）を有している。レール溝１２は、レール部１０の底部に設けられている。詳細には、レール部１０は、当該レール部１０の延在方向に垂直な断面（図１に示される断面）において、底部の一部が欠落した環状をしている。この欠落した部分が、レール溝１２を構成している。レール溝１２は、レール部１０の延在方向に沿って、レール部１０の略全体にわたって設けられている。
【００１３】
図３は、レール部１０にランナー３０が取り付けられた状態を示す断面図である。ランナー３０は、括れ部３２、及び穴３４を有している。ランナー３０は、括れ部３２がレール溝１２に嵌まった状態で、レール溝１２に沿って直線運動できるとともに、レール部１０の上下方向（図３の上下方向に等しい。）に平行な軸の周りに自転運動できるように構成されている。穴３４は、カーテンフックを掛止するためのものである。
【００１４】
図１及び図２に戻って、レール部２０は、カーテンを吊るすランナーが走行するレール溝２２（第２のレール溝）を有している。レール溝２２は、レール部２０の底部に設けられている。詳細には、レール部２０は、当該レール部２０の延在方向に垂直な断面において、底部の一部が欠落した環状をしている。この欠落した部分が、レール溝２２を構成している。レール溝２２は、レール部２０の延在方向に沿って、レール部２０の略全体にわたって設けられている。レール部２０にも、レール部１０と同様に、ランナー３０が取り付けられる。
【００１５】
カーテンレール用アタッチメント４０は、カーテンレール１に取り付けられるカーテンレール用アタッチメントであって、固定部４２、及び物干部４４を備えている。図１及び図２は、カーテンレール用アタッチメント４０がカーテンレール１に取り付けられた状態（取付状態）を示している。取付状態において、物干部４４は、平面視で、レール部１０とレール部２０との間に位置する。同状態において、物干部４４は、平面視で、レール部１０のレール溝１２及びレール部２０のレール溝２２の何れにも重ならない。すなわち、物干部４４の全体が、平面視で、レール溝１２とレール溝２２との間の領域内に収まっている。
【００１６】
固定部４２は、カーテンレール用アタッチメント４０をカーテンレール１に固定するための部分である。本実施形態において固定部４２は、レール部１０及びレール部２０に対して直接に接続される。固定部４２は、レール部１０とレール部２０との間に挟持されるように構成されている。固定部４２の一端はレール部１０の近側面１０ａ（レール部１０におけるレール部２０に近い方の側面）に当接し、固定部４２の他端はレール部２０の近側面２０ａ（レール部２０におけるレール部１０に近い方の側面）に当接する。
【００１７】
レール部１０及びレール部２０の幅方向（図１の左右方向）についての固定部４２の長さは、可変であることが好ましい。かかる構成は、例えば、図４に示すように、固定部４２を内筒部４２ａ及び外筒部４２ｂから構成することにより実現することができる。外筒部４２ｂは、内筒部４２ａの両端を覆うように設けられている。内筒部４２ａの外周面には、雄ネジが形成されている。そして、外筒部４２ｂの内周面には、内筒部４２ａの雄ネジと螺合する雌ネジが形成されている。外筒部４２ｂを内筒部４２ａに対して回転させることにより、内筒部４２ａの外筒部４２ｂへの挿入深さが変わるため、固定部４２の上記長さを調整することができる。
【００１８】
図５は、図１におけるカーテンレール用アタッチメント４０を示す拡大図である。物干部４４は、洗濯物を干すための部分である。物干部４４は、支柱部４５、フック４６（第１のフック）、及びフック４７（第２のフック）を有している。各フック４６，４７には、ハンガーを掛けられる。支柱部４５は、固定部４２から垂下している。フック４６及びフック４７は、支柱部４５を挟んで互いに反対側に設けられている。これらの支柱部４５、フック４６及びフック４７は、一体に設けられている。
【００１９】
フック４６は、その根元４６ａにおいて支柱部４５に接続されている。フック４６の先端４６ｂは、上を向いている。取付状態において、フック４６の根元４６ａ及び先端４６ｂは、レール部１０及びレール部２０の延在方向に垂直な同一平面内に存在している。同様に、フック４７は、その根元４７ａにおいて支柱部４５に接続されている。フック４７の先端４７ｂは、上を向いている。取付状態において、フック４７の根元４７ａ及び先端４７ｂは、レール部１０及びレール部２０の延在方向に垂直な同一平面内に存在している。
【００２０】
カーテンレール用アタッチメント４０の材料としても、例えば、金属、樹脂、木材等を用いることができる。固定部４２（図４に示した構成の場合は、内筒部４２ａに限る。）と物干部４４とは、一体成形されていることが好ましい。
【００２１】
カーテンレール１には、図２からわかるように、複数（具体的には３つ）のカーテンレール用アタッチメント４０が取り付けられている。これらのカーテンレール用アタッチメント４０は、レール部１０及びレール部２０の延在方向に沿って相異なる位置に取り付けられている。複数のカーテンレール用アタッチメント４０の全てが同一の形状及び大きさを有していてもよいし、複数のカーテンレール用アタッチメント４０のうち少なくとも２つが相異なる形状又は大きさを有していてもよい。
【００２２】
本実施形態の効果を説明する。カーテンレール用アタッチメント４０においては、洗濯物を干すための物干部４４が設けられている。カーテンレール用アタッチメント４０を取り付けることにより、カーテンレール１に洗濯物を干すための構造を付加することができる。かかるカーテンレール１においては、洗濯物を干すための構造が付加されていない場合に比して、洗濯物を干しやすくなる。したがって、カーテンレールに洗濯物を干しやすくするカーテンレール用アタッチメント４０、及びそれが取り付けられたカーテンレール１が実現されている。
【００２３】
また、取付状態において、物干部４４は、平面視で、レール部１０とレール部２０との間に位置する。これにより、レール部１０に吊るされたカーテンとレール部２０に吊るされたカーテンとの間の空間に、洗濯物を干すことができる。このため、２枚のカーテンを閉めることにより、窓の外からも室内からも洗濯物が見えないようにすることができる。
【００２４】
カーテンレール１にカーテンレール用アタッチメント４０が取り付けられた室内においては、洗濯物を吊るしたハンガーを物干部４４に掛けることにより、窓際で洗濯物を効率良く乾かすことができる。それゆえ、カーテンレール用アタッチメント４０は、外に洗濯物を干せない高層マンションやホテル等において特に有用である。
【００２５】
固定部４２は、レール部１０及びレール部２０に対して直接に接続される。これにより、レール部１０とレール部２０との間に他の部材（例えば、レール部１０とレール部２０とを連結する連結部材）が存在しない場合であっても、カーテンレール用アタッチメント４０をカーテンレール１に容易に取り付けることができる。
【００２６】
固定部４２は、レール部１０とレール部２０との間に挟持されるように構成されている。これにより、各レール部１０，２０の上方に充分な隙間がない場合（各レール部１０，２０の上面に固定部４２を接続することができない場合）であっても、レール部１０及びレール部２０に対して固定部４２を容易に接続することができる。
【００２７】
レール部１０及びレール部２０の幅方向についての固定部４２の長さが可変である場合、レール部１０とレール部２０との間隔が異なる様々なカーテンレール１に対して、カーテンレール用アタッチメント４０を適合させることが可能となる。また、レール部１０とレール部２０との間に挟持された状態で上記長さを大きくすることにより、レール部１０及びレール部２０に対して固定部４２を強固に接続することができる。
【００２８】
取付状態において、物干部４４は、平面視で、レール部１０のレール溝１２にもレール部２０のレール溝２２にも重ならない。これにより、カーテンが吊るされる領域（各レール溝１２，２２の下方）と洗濯物が吊るされる領域（物干部４４の下方）とを分けることができる。このため、洗濯物がカーテンに過度に干渉するのを防ぐことができる。
【００２９】
物干部４４は、ハンガーを掛けられるフック４６を有している。これにより、簡易な構造で、洗濯物を干すための物干部４４を実現することができる。
【００３０】
取付状態において、フック４６の根元４６ａ及び先端４６ｂは、レール部１０及びレール部２０の延在方向に垂直な同一平面内に存在している。この場合、図６に示すように、物干部４４（フック４６）にハンガー９２を掛けたとき、ハンガー９２に吊るされた洗濯物９４が、レール部１０及びレール部２０の延在方向（同図の左右方向）に広がることになる。このことも、洗濯物とカーテンとの過度な干渉を防ぐのに有利である。
【００３１】
物干部４４は、フック４６に加えてフック４７を有している。この場合、フック４７が設けられていない場合に比して、１つの物干部４４に多くの洗濯物を干すことができる。
【００３２】
取付状態において、フック４７の根元４７ａ及び先端４７ｂは、レール部１０及びレール部２０の延在方向に垂直な同一平面内に存在している。この場合、フック４７にハンガーを掛けたとき、当該ハンガーに吊るされた洗濯物が、レール部１０及びレール部２０の延在方向に広がることになる。このことも、洗濯物とカーテンとの過度な干渉を防ぐのに有利である。
【００３３】
カーテンレール１においては、レール部１０及びレール部２０の延在方向に沿って相異なる位置に、複数のカーテンレール用アタッチメント４０が取り付けられている。これにより、複数の箇所において同時に洗濯物を干すことが可能となる。
（第２実施形態）
【００３４】
図７は、本発明によるカーテンレール用アタッチメント及びカーテンレールの第２実施形態を示す断面図である。また、図８は、図７のカーテンレール用アタッチメント及びカーテンレールを示す平面図である。図７は、図８のVII−VII線に沿った断面を示している。カーテンレール２は、レール部１０及びレール部２０を有している。レール部１０及びレール部２０の構成は、第１実施形態で説明したとおりである。
【００３５】
カーテンレール用アタッチメント５０は、カーテンレール２に取り付けられるカーテンレール用アタッチメントであって、固定部５２、及び物干部５４を備えている。図７及び図８は、カーテンレール用アタッチメント５０がカーテンレール２に取り付けられた状態（取付状態）を示している。取付状態において、物干部５４は、平面視で、レール部１０とレール部２０との間に位置する。同状態において、物干部５４は、平面視で、レール部１０のレール溝１２及びレール部２０のレール溝２２の何れにも重ならない。
【００３６】
固定部５２は、カーテンレール用アタッチメント５０をカーテンレール２に固定するための部分である。本実施形態においても固定部５２は、レール部１０及びレール部２０に対して直接に接続される。固定部５２は、レール部１０とレール部２０とに懸架されるように構成されている。固定部５２は、レール部１０及びレール部２０を跨がるように、レール部１０の上面からレール部２０の上面にかけて延びている。レール部１０及びレール部２０の延在方向についての固定部５２の長さｄ１（図８参照）は、レール部１０とレール部２０との間隔ｄ２よりも小さいことが好ましい。
【００３７】
図９は、図７におけるカーテンレール用アタッチメント５０を示す拡大図である。固定部５２は、基部５２ａ、並びに、突出部５２ｂ（第１の突出部）及び突出部５２ｃ（第２の突出部）を有している。基部５２ａは、水平方向に広がる平板状をしている。突出部５２ｂ，５２ｃは、基部５２ａから下向きに突出している。取付状態において、レール部１０及びレール部２０は、突出部５２ｂと突出部５２ｃとの間に位置する。このとき、突出部５２ｂ及び突出部５２ｃは、それぞれ、レール部１０の遠側面１０ｂ（第１の遠側面）及びレール部２０の遠側面２０ｂ（第２の遠側面）に接する。ここで、遠側面１０ｂは、レール部１０におけるレール部２０から遠い方の側面である。また、遠側面２０ｂは、レール部２０におけるレール部１０から遠い方の側面である。このように固定部５２は、レール部１０をその上面から遠側面１０ｂにかけて覆うとともに、レール部２０をその上面から遠側面２０ｂにかけて覆っている。
【００３８】
物干部５４は、洗濯物を干すための部分である。物干部５４は、支柱部５５、フック５６（第１のフック）、及びフック５７（第２のフック）を有している。各フック５６，５７には、ハンガーを掛けられる。支柱部５５は、固定部５２から垂下している。フック５６及びフック５７は、支柱部５５を挟んで互いに反対側に設けられている。これらの支柱部５５、フック５６及びフック５７は、一体に設けられている。
【００３９】
フック５６は、その根元５６ａにおいて支柱部５５に接続されている。フック５６の先端５６ｂは、上を向いている。取付状態において、フック５６の根元５６ａ及び先端５６ｂは、レール部１０及びレール部２０の延在方向に垂直な同一平面内に存在している。同様に、フック５７は、その根元５７ａにおいて支柱部５５に接続されている。フック５７の先端５７ｂは、上を向いている。取付状態において、フック５７の根元５７ａ及び先端５７ｂは、レール部１０及びレール部２０の延在方向に垂直な同一平面内に存在している。
【００４０】
カーテンレール用アタッチメント５０の材料としても、例えば、金属、樹脂、木材等を用いることができる。固定部５２と物干部５４とは、一体成形されていることが好ましい。
【００４１】
カーテンレール２には、図８からわかるように、複数（具体的には３つ）のカーテンレール用アタッチメント５０が取り付けられている。これらのカーテンレール用アタッチメント５０は、レール部１０及びレール部２０の延在方向に沿って相異なる位置に取り付けられている。複数のカーテンレール用アタッチメント５０の全てが同一の形状及び大きさを有していてもよいし、複数のカーテンレール用アタッチメント５０のうち少なくとも２つが相異なる形状又は大きさを有していてもよい。
【００４２】
本実施形態の効果を説明する。カーテンレール用アタッチメント５０においては、洗濯物を干すための物干部５４が設けられている。カーテンレール用アタッチメント５０を取り付けることにより、カーテンレール２に洗濯物を干すための構造を付加することができる。かかるカーテンレール２においては、洗濯物を干すための構造が付加されていない場合に比して、洗濯物を干しやすくなる。したがって、カーテンレールに洗濯物を干しやすくするカーテンレール用アタッチメント５０、及びそれが取り付けられたカーテンレール２が実現されている。
【００４３】
固定部５２は、レール部１０とレール部２０とに懸架されるように構成されている。これにより、レール部１０及びレール部２０上に固定部５２を架け渡すだけで、カーテンレール用アタッチメント５０をカーテンレール２に容易に取り付けることができる。
【００４４】
固定部５２の長さｄ１がレール部１０とレール部２０との間隔ｄ２よりも小さい場合、カーテンレール用アタッチメント５０の取付け又は取外しの際、図１０に示すようにカーテンレール用アタッチメント５０を水平面内で９０°回転させれば、レール部１０とレール部２０との間の隙間を固定部５２が確実に通過することができる。このため、カーテンレール用アタッチメント５０の取付け又は取外しをスムーズに行うことができる。
【００４５】
固定部５２は、突出部５２ｂ及び突出部５２ｃを有している。そして、取付状態において、レール部１０及びレール部２０は、突出部５２ｂと突出部５２ｃとの間に位置する。これにより、突出部５２ｂ及び突出部５２ｃがストッパーとして機能するため、意図せずカーテンレール用アタッチメント５０がカーテンレール２から外れてしまう事態を起こりにくくすることができる。
【００４６】
取付状態において、突出部５２ｂ及び突出部５２ｃは、それぞれ、遠側面１０ｂ及び遠側面２０ｂに接する。このため、カーテンレール２に取り付けられたカーテンレール用アタッチメント５０が動きにくくなり、カーテンレール２に対してカーテンレール用アタッチメント５０をより安定的に固定することができる。本実施形態のその他の効果は、第１実施形態と同様である。
（第３実施形態）
【００４７】
図１１は、本発明によるカーテンレール用アタッチメント及びカーテンレールの第３実施形態を示す断面図である。また、図１２は、図１１のカーテンレール用アタッチメント及びカーテンレールを示す平面図である。図１１は、図１２のXI−XI線に沿った断面を示している。カーテンレール３は、レール部１０及びレール部２０に加えて、連結部材６０を有している。レール部１０及びレール部２０の構成は、第１実施形態で説明したとおりである。
【００４８】
連結部材６０は、レール部１０とレール部２０とを連結している。連結部材６０は、レール部１０及びレール部２０を跨るように設けられており、レール部１０及びレール部２０の双方に固定されている。カーテンレール３には、複数（具体的には３つ）の連結部材６０が設けられている。これらの連結部材６０は、レール部１０及びレール部２０の延在方向に沿って相異なる位置に設けられている。連結部材６０の材料としても、例えば、金属、樹脂、木材等を用いることができる。
【００４９】
カーテンレール用アタッチメント７０は、カーテンレール３に取り付けられるカーテンレール用アタッチメントであって、固定部７２、及び物干部７４を備えている。図１１及び図１２は、カーテンレール用アタッチメント７０がカーテンレール３に取り付けられた状態（取付状態）を示している。取付状態において、物干部７４は、平面視で、レール部１０とレール部２０との間に位置する。同状態において、物干部７４は、平面視で、レール部１０のレール溝１２及びレール部２０のレール溝２２の何れにも重ならない。
【００５０】
固定部７２は、カーテンレール用アタッチメント７０をカーテンレール３に固定するための部分である。本実施形態において固定部７２は、連結部材６０に対して直接に接続される。固定部７２は、図１３に示すように、連結部材６０を両側から挟むように構成されている。同図は、図１２のXIII−XIII線に沿った端面図である。固定部７２は、基部７２ａ、並びに、アーム７２ｂ（第１のアーム）及びアーム７２ｃ（第２のアーム）を有している。アーム７２ｂ，７２ｃは、連結部材６０を挟持する。
【００５１】
アーム７２ｂとアーム７２ｃとの間隔は、可変であることが好ましい。かかる構成は、例えば、図１４に示すように、基部７２ａ、アーム７２ｂ及びアーム７２ｃを別体に形成することにより実現することができる。基部７２ａは、水平方向に延びる筒状をしている。アーム７２ｂは、Ｌ字状をしており、その水平部分が基部７２ａの一端に挿入されている。同様に、アーム７２ｃも、Ｌ字状をしており、その水平部分が基部７２ａの他端に挿入されている。各アーム７２ｂ，７２ｃは、基部７２ａの延在方向（図１４の左右方向）に沿って、基部７２ａの内周面上を摺動可能である。各アーム７２ｂ，７２ｃは、任意の位置で、ネジ等により基部７２ａに対して固定することができる。
【００５２】
固定部７２における連結部材６０に対する接触面（各アーム７２ｂ，７２ｃの内側の面）には、緩衝部材が設けられていることが好ましい。緩衝部材としては、例えばゴムを用いることができる。
【００５３】
図１５は、図１１におけるカーテンレール用アタッチメント７０を示す拡大図である。物干部７４は、洗濯物を干すための部分である。物干部７４は、支柱部７５、フック７６（第１のフック）、及びフック７７（第２のフック）を有している。各フック７６，７７には、ハンガーを掛けられる。支柱部７５は、固定部７２から垂下している。フック７６及びフック７７は、支柱部７５を挟んで互いに反対側に設けられている。これらの支柱部７５、フック７６及びフック７７は、一体に設けられている。
【００５４】
フック７６は、その根元７６ａにおいて支柱部７５に接続されている。フック７６の先端７６ｂは、上を向いている。取付状態において、フック７６の根元７６ａ及び先端７６ｂは、レール部１０及びレール部２０の延在方向に垂直な同一平面内に存在している。同様に、フック７７は、その根元７７ａにおいて支柱部７５に接続されている。フック７７の先端７７ｂは、上を向いている。取付状態において、フック７７の根元７７ａ及び先端７７ｂは、レール部１０及びレール部２０の延在方向に垂直な同一平面内に存在している。
【００５５】
カーテンレール用アタッチメント７０の材料としても、例えば、金属、樹脂、木材等を用いることができる。固定部７２（図１４に示した構成の場合は、基部７２ａに限る。）と物干部７４とは、一体成形されていることが好ましい。
【００５６】
カーテンレール３には、図１２からわかるように、複数（具体的には３つ）のカーテンレール用アタッチメント７０が取り付けられている。これらのカーテンレール用アタッチメント７０は、レール部１０及びレール部２０の延在方向に沿って相異なる位置に取り付けられている。複数のカーテンレール用アタッチメント７０の全てが同一の形状及び大きさを有していてもよいし、複数のカーテンレール用アタッチメント７０のうち少なくとも２つが相異なる形状又は大きさを有していてもよい。
【００５７】
本実施形態の効果を説明する。カーテンレール用アタッチメント７０においては、洗濯物を干すための物干部７４が設けられている。カーテンレール用アタッチメント７０を取り付けることにより、カーテンレール３に洗濯物を干すための構造を付加することができる。かかるカーテンレール３においては、洗濯物を干すための構造が付加されていない場合に比して、洗濯物を干しやすくなる。したがって、カーテンレールに洗濯物を干しやすくするカーテンレール用アタッチメント７０、及びそれが取り付けられたカーテンレール３が実現されている。
【００５８】
固定部７２は、連結部材６０に対して直接に接続される。これにより、レール部１０及びレール部２０に対して固定部７２を直接接続しにくい場合であっても、カーテンレール用アタッチメント７０をカーテンレール３に容易に取り付けることができる。
【００５９】
固定部７２は、連結部材６０を両側から挟むように構成されている。これにより、連結部材６０の上方に充分な隙間がない場合（連結部材６０の上面に固定部７２を接続することができない場合）であっても、連結部材６０に対して固定部７２を容易に接続することができる。
【００６０】
アーム７２ｂとアーム７２ｃとの間隔が可変である場合、連結部材６０の幅が異なる様々なカーテンレール３に対して、カーテンレール用アタッチメント７０を適合させることが可能となる。また、連結部材６０を挟持した状態で上記間隔を小さくすることにより、連結部材６０に対して固定部７２を強固に接続することができる。
【００６１】
固定部７２における連結部材６０に対する接触面に緩衝部材が設けられている場合、固定部７２に挟まれた連結部材６０が損傷してしまう事態を起こりにくくすることができる。本実施形態のその他の効果は、第１及び第２実施形態と同様である。
【００６２】
本発明は、上記実施形態に限定されるものではなく、様々な変形が可能である。上記実施形態において物干部４４は、図１６に示すように、物干し用の棒又は紐を通せる孔４８を有していてもよい。孔４８は、物干部４４において、フック４６，４７に代えて設けられてもよいし、フック４６，４７と共に設けられてもよい。取付状態において、孔４８の深さ方向（図１６の紙面に垂直な方向）は、レール部１０及びレール部２０の延在方向に一致する。
【００６３】
このように物干部４４が孔４８を有する場合も、簡易な構造で、洗濯物を干すための物干部４４を実現することができる。また、孔４８の深さ方向をレール部１０及びレール部２０の延在方向に一致させることにより、物干し用の棒又は紐を上記延在方向と平行に設置することができる。この場合、当該棒又は紐に吊るされた洗濯物は、レール部１０及びレール部２０の延在方向に広がることになる。このことは、洗濯物とカーテンとの過度な干渉を防ぐのに有利である。物干部５４及び物干部７４において同様の構成を採用してもよいことは、言うまでもない。
【００６４】
上記実施形態において物干部４４は、図１７に示すように、紐収納部４４ａ（第１の紐収納部）、紐収納部４４ｂ（第２の紐収納部）、及び紐受部４４ｃを含んでいてもよい。紐収納部４４ａは、物干し用の紐４９ａ（第１の紐）の一端を固定するとともに紐４９ａを収納可能である。紐収納部４４ｂは、物干し用の紐４９ｂ（第２の紐）の一端を固定するとともに紐４９ｂを収納可能である。紐４９ａ及び紐４９ｂは、図１８に示すように、それぞれ紐収納部４４ａ及び紐収納部４４ｂから引き出すことができる。紐収納部４４ａは、紐収納部４４ａから引き出された紐４９ａを自動的に巻き取る機構を有している。同様に、紐収納部４４ｂは、紐収納部４４ｂから引き出された紐４９ｂを自動的に巻き取る機構を有している。かかる機構は、例えば各紐収納部４４ａ，４４ｂにゼンマイバネを内蔵させることにより、実現することができる。
【００６５】
紐受部４４ｃは、図１９に示すように、紐収納部４４ａから引き出された紐４９ａの他端、及び紐収納部４４ｂから引き出された紐４９ｂの他端を固定する。紐受部４４ｃは、各紐４９ａ，４９ｂの他端を掛止できるように構成されている。取付状態において、紐受部４４ｃは、紐収納部４４ａ及び紐収納部４４ｂの双方と離間している。同状態において、紐収納部４４ａと紐受部４４ｃとは、レール部１０及びレール部２０の延在方向に沿って相異なる位置に存在する。紐収納部４４ｂと紐受部４４ｃとも、レール部１０及びレール部２０の延在方向に沿って相異なる位置に存在する。本例において紐受部４４ｃは、紐収納部４４ａと紐収納部４４ｂとの間に存在する。
【００６６】
このように本例においては、カーテンレール用アタッチメント４０が、互いに離間した複数のユニット（紐収納部４４ａを有するユニット、紐収納部４４ｂを有するユニット、及び紐受部４４ｃを有するユニット）によって構成されている。この場合、各ユニットに固定部４２が設けられることになる。なお、各紐収納部４４ａ，４４ｂには、フック４６，４７及び／又は孔４８が設けられていてもよい。同様に、紐受部４４ｃにも、フック４６，４７及び／又は孔４８が設けられていてもよい。
【００６７】
このように物干部４４が紐収納部４４ａ及び紐受部４４ｃを含む場合、必要に応じて紐収納部４４ａと紐受部４４ｃとの間に紐４９ａを張ることができるとともに、必要がないときは紐４９ａを紐収納部４４ａ内に収納させることができる。さらに、紐収納部４４ｂを含むことにより、紐収納部４４ｂと紐受部４４ｃとの間に紐４９ｂを張ることもできる。また、紐収納部４４ａが紐４９ａを自動的に巻き取る機構を有することにより、紐収納部４４ａから引き出された紐４９ａを紐収納部４４ａ内に容易に戻すことができる。同様に、紐収納部４４ｂが紐４９ｂを自動的に巻き取る機構を有することにより、紐収納部４４ｂから引き出された紐４９ｂを紐収納部４４ｂ内に容易に戻すことができる。物干部５４及び物干部７４において同様の構成を採用してもよいことは、言うまでもない。
【符号の説明】
【００６８】
１  カーテンレール
２  カーテンレール
３  カーテンレール
１０  レール部（第１のレール部）
１０ａ  近側面
１０ｂ  遠側面（第１の遠側面）
１２  レール溝（第１のレール溝）
２０  レール部（第２のレール部）
２０ａ  近側面
２０ｂ  遠側面（第２の遠側面）
２２  レール溝（第２のレール溝）
３０  ランナー
３２  括れ部
３４  穴
４０  カーテンレール用アタッチメント
４２  固定部
４２ａ  内筒部
４２ｂ  外筒部
４４  物干部
４４ａ  紐収納部（第１の紐収納部）
４４ｂ  紐収納部（第２の紐収納部）
４４ｃ  紐受部
４５  支柱部
４６  フック（第１のフック）
４７  フック（第２のフック）
４８  孔
４９ａ  紐（第１の紐）
４９ｂ  紐（第２の紐）
５０  カーテンレール用アタッチメント
５２  固定部
５２ａ  基部
５２ｂ  突出部（第１の突出部）
５２ｃ  突出部（第２の突出部）
５４  物干部
５５  支柱部
５６  フック（第１のフック）
５７  フック（第２のフック）
６０  連結部材
７０  カーテンレール用アタッチメント
７２  固定部
７２ａ  基部
７２ｂ  アーム（第１のアーム）
７２ｃ  アーム（第２のアーム）
７４  物干部
７５  支柱部
７６  フック（第１のフック）
７７  フック（第２のフック）
９２  ハンガー
９４  洗濯物
【図１】
0006322307.tif 000002
【図２】
0006322307.tif 000003
【図３】
0006322307.tif 000004
【図４】
0006322307.tif 000005
【図５】
0006322307.tif 000006
【図６】
0006322307.tif 000007
【図７】
0006322307.tif 000008
【図８】
0006322307.tif 000009
【図９】
0006322307.tif 000010
【図１０】
0006322307.tif 000011
【図１１】
0006322307.tif 000012
【図１２】
0006322307.tif 000013
【図１３】
0006322307.tif 000014
【図１４】
0006322307.tif 000015
【図１５】
0006322307.tif 000016
【図１６】
0006322307.tif 000017
【図１７】
0006322307.tif 000018
【図１８】
0006322307.tif 000019
【図１９】
0006322307.tif 000020